(57)【要約】【課題】被写体画像中の人物の白目、歯および白髪を簡便に色修正すること。【解決手段】顔表情検出部２３は、被写体画像中の被写体人物の笑顔を検出し、画像記録部１６は、その被写体画像データと、笑顔であるとの属性データとを関連付けてメモリ１６ａに記録する。顔表情として笑顔を設定すると、画像読出し部２０は、メモリ１６ａの被写体画像データの中から、被写体人物が笑顔である被写体画像データを読み出し、読み出された被写体画像データの人物画像について、白目領域検出部２７ａ、歯領域検出部２７ｂおよび白髪領域検出部２７ｃは、それぞれ白目、歯および白髪の画像領域を検出し、色修正部３１は、白目、歯については白色補正、白髪については黒色補正を行う。【選択図】図１
2010176217.tif 000002
【特許請求の範囲】
【請求項１】
被写体画像データを記憶する記憶手段と、
前記記憶手段から前記被写体画像データを読み出す読出し手段と、
前記被写体画像データ中の被写体人物の顔表情が所定の顔表情であることを検出する顔表情検出手段と、
前記読出し手段により前記被写体画像データを読み出したとき、前記顔表情検出手段により前記所定の顔表情であることが検出された被写体人物の顔について、白目と歯と髪との少なくとも一つの部分画像に対して自動的に色修正を施す色修正手段と、
前記色修正手段によって色修正された被写体画像データに基づく再生画像を表示する表示手段と、を備えることを特徴とする画像修正装置。
【請求項２】
請求項１に記載の画像修正装置において、
前記顔表情検出手段は、前記読出し手段により読み出された前記被写体画像データ中の被写体人物の顔表情が所定の顔表情であることを検出することを特徴とする画像修正装置。
【請求項３】
請求項１に記載の画像修正装置において、
前記顔表情検出手段は、前記記憶手段に記憶される前の被写体画像データについて、該被写体画像データ中の被写体人物の顔表情が所定の顔表情であることを検出し、
前記記憶手段は、前記被写体画像データと、前記顔表情検出手段により前記所定の顔表情であることが検出された旨の属性データとを関連付けて記憶することを特徴とする画像修正装置。
【請求項４】
請求項１に記載の画像修正装置において、
前記被写体画像データ中の被写体人物の顔表情の度合いが所定の顔表情レベルに対応することを判定するレベル判定手段を更に備え、
前記色修正手段は、前記レベル判定手段により判定された顔表情レベルが所定の顔表情レベル以上である被写体人物の顔について、白目と歯との少なくとも一つの部分画像に対して自動的に前記色修正を施すことを特徴とする画像修正装置。
【請求項５】
請求項１〜４のいずれか１項に記載の画像修正装置において、
前記白目と歯との少なくとも一つの部分画像に対して自動的にイラストを挿入するイラスト挿入手段を備えることを特徴とする画像修正装置。
【請求項６】
請求項５に記載の画像修正装置において、
前記イラスト挿入手段は、前記レベル判定手段により判定された顔表情レベルの高さに応じて前記イラストの挿入数量を変更することを特徴とする画像修正装置。
【請求項７】
請求項１に記載の画像修正装置において、
前記顔表情検出手段は、前記被写体画像データ中の複数の被写体人物の各々の顔について前記所定の顔表情であることを検出し、
前記色修正手段は、前記顔表情検出手段により前記所定の顔表情であることが検出された顔について、自動的に前記色修正を施すことを特徴とする画像修正装置。
【請求項８】
請求項１に記載の画像修正装置において、
前記色修正手段は、前記顔表情検出手段により前記所定の顔表情であることが検出された被写体人物の顔について、該被写体人物の黒髪に白髪が混在している場合、その頭髪部分に自動的に黒色修正を施すことを特徴とする画像修正装置。
【請求項９】
請求項１に記載の画像修正装置において、
前記色修正手段により自動的に色修正が施された後に、手動による色修正を施す手動修正手段を更に備えることを特徴とする画像修正装置。
【請求項１０】
請求項１に記載の画像修正装置において、
前記顔表情検出手段により検出される前記所定の顔表情は笑顔であることを特徴とする画像修正装置。
【請求項１１】
請求項１に記載の画像修正装置において、
前記色修正手段によって色修正が施された被写体画像データに色修正を示す属性データを付して、前記記憶手段に保存する保存手段を更に備えることを特徴とする画像修正装置。
【請求項１２】
請求項１〜１１のいずれか１項に記載の画像修正装置を備えるデジタルカメラ。
【発明の詳細な説明】
【技術分野】
【０００１】
本発明は、画像に色修正を施す画像修正装置およびその画像修正装置を備えるデジタルカメラに関する。
【背景技術】
【０００２】
従来、デジタルカメラで撮影した被写体画像を修正する場合に、記録媒体に記録された被写体画像をディスプレイに再生表示して、その再生画像を見ながら画像修正ソフトを用いて、マニュアルで修正していた。しかしながら、上述の従来の技術は、ディスプレイ上の再生画像を見て、修正箇所を探して修正するため、極めて手間のかかる作業であった。
一方、被写体画像の白目の領域を検出し、その白目領域に充血部分が存在するか否かを検出し、その検出結果に基づき、充血部分の画像について自動的に修正を行うことができる画像補正装置が提案されている（例えば、特許文献１参照）。
【先行技術文献】
【特許文献】
【０００３】
【特許文献１】特開２００５−２２８０７６号公報
【発明の概要】
【発明が解決しようとする課題】
【０００４】
しかしながら、上述の特許文献に記載された画像補正装置は、画像毎に修正対象部分、即ち白目の充血部分を検出し、その結果に基づき修正の要否を判断して修正を実行しなければならず、工程が複雑である。
特に、修正対象部分が複数存在する場合には、それぞれの修正対象部分毎に上記の工程が必要であり、膨大な画像処理が必要になるという問題がある。
【課題を解決するための手段】
【０００５】
（１）請求項１の発明による画像修正装置は、被写体画像データを記憶する記憶手段と、記憶手段から被写体画像データを読み出す読出し手段と、被写体画像データ中の被写体人物の顔表情が所定の顔表情であることを検出する顔表情検出手段と、読出し手段により被写体画像データを読み出したとき、顔表情検出手段により所定の顔表情であることが検出された被写体人物の顔について、白目と歯と髪との少なくとも一つの部分画像に対して自動的に色修正を施す色修正手段と、色修正手段によって色修正された被写体画像データに基づく再生画像を表示する表示手段と、を備えることを特徴とする。
【発明の効果】
【０００６】
本発明の画像修正装置によれば、被写体人物の所定の顔表情を検出した画像について、白目と歯と髪との少なくとも一つの部分画像に対して自動的に修正を施すので、工程が簡略化され迅速な修正処理が可能となる。
【図面の簡単な説明】
【０００７】
【図１】本発明の実施の形態に係るデジタルカメラの構成を示すブロック図である。
【図２】被写体人物の顔にイラストを挿入した一例を模式的に示す図である。
【発明を実施するための形態】
【０００８】
以下、本発明の実施の形態によるデジタルカメラについて、図面を参照しながら説明する。
図１は、本発明の実施の形態によるデジタルカメラの構成を示すブロック図である。
図１に示されるように、デジタルカメラは、撮影レンズ１１、絞り１２、撮像素子１３、バッファメモリ１４および画像処理部１５を備える。また、デジタルカメラは、画像記録部１６、ＣＰＵ（Ｃｅｎｔｒａｌ  Ｐｒｏｃｅｓｓｉｎｇ  Ｕｎｉｔ）１７、ＲＯＭ（Ｒｅａｄ  Ｏｎｌｙ  Ｍｅｍｏｒｙ）１８、バス１９、画像読出し部２０、顔表情設定部３６、手動修正部３７、表示制御部４１およびディスプレイ４２を備える。
【０００９】
画像処理部１５、画像記録部１６、ＣＰＵ１７、ＲＯＭ１８、画像読出し部２０、顔表情設定部３６、手動修正部３７および表示制御部４１は、バス１９を介して互いに接続されている。
【００１０】
ＣＰＵ１７は、顔検出部２１、顔表情検出部２３、顔表情レベル判定部２５、白目領域検出部２７ａ、歯領域検出部２７ｂ、白髪領域検出部２７ｃ、色修正部３１、イラスト挿入部３３およびデータ保存指示部３５として機能する。また、ＣＰＵ１７は、撮影手段である撮影レンズ１１、絞り１２、撮像素子１３を制御する。
ＲＯＭ１８は、顔データ記憶部２２、顔表情データ記憶部２４、顔表情レベルデータ記憶部２６、イラストデータ記憶部３４として機能する。
【００１１】
撮影レンズ１１は、ズームレンズやフォーカスレンズを含む複数のレンズで構成され、被写体像を撮像素子１３上に結像する。図１では簡単のため、撮影レンズ１１は１枚のレンズで示されている。撮像素子１３は、撮影レンズ１１からの被写体光Ｌ１を光電変換することにより画像信号を生成する。
【００１２】
撮像素子１３から出力される画像信号は、バッファメモリ１４を介して画像処理部１５に送られ、ここで所定の種々の画像処理が施される。撮影開始前の段階では、撮像素子１３からの画像信号は、バッファメモリ１４、画像処理部１５を経てバス１９を介してディスプレイ４２に送られ、スルー画像として表示される。撮影段階では、撮像素子１３からの画像信号は、バッファメモリ１４、画像処理部１５を経てバス１９を介して画像記録部１６にて記録される。
【００１３】
画像記録部１６は、画像データとその画像データに関する属性データとを関連付けて不揮発性のメモリ（記憶媒体）１６ａに記録する。画像データには、撮像素子１３からの被写体画像データや、外部機器から画像記録部１６に入力された被写体画像データが含まれる。
【００１４】
画像読出し部２０は、画像記録部１６のメモリ１６ａに記録されている画像データの検索や属性データに基づいて画像の再生を行う操作部である。
【００１５】
顔検出部２１は、被写体画像データを入力し、これを顔データ記憶部２２に予め記憶されている顔データと比較することにより、画像中の被写体人物の顔を検出する。被写体人物が複数人の場合は各人の顔を検出する。顔データ記憶部２２は、例えば、眉、眼、鼻、唇の形状に関する特徴点のデータを記憶している。
【００１６】
顔検出には、例えば、特開２００１−１６５７３号公報に開示されている検出手法を用いることができる。この検出手法は、入力画像中から特徴点を抽出して被写体の顔領域、顔の大きさ等を検出するものである。特徴点としては、眉、眼、鼻、唇の各端点、および顔の輪郭点、例えば頭頂点や顎の下端点が挙げられる。
【００１７】
他の顔検出としては、例えば、特開２００５−１５７６７９号公報に開示されている検出手法を用いることができる。この検出手法は、先ず、入力画像中の２画素間の輝度差を特徴量として学習しておき、その特徴量に基づいて入力画像中の所定領域に顔が存在するか否かを示す推定値を算出し、推定値が１以上のときにその所定領域に顔が存在すると判別するものである。
【００１８】
顔表情検出部２３は、顔検出部２１により検出された顔領域の画像の顔表情を顔表情データ記憶部２４に予め記憶されている所定の顔表情データと比較することにより、被写体画像中の被写体人物の顔表情が所定の顔表情に対応することを検出する。この顔表情検出部２３は、被写体人物が複数人の場合は各人の顔について顔表情を検出する。
顔表情には、笑顔、泣き顔、怒り顔、驚き顔、寝顔などの様々な種類があり、顔表情データ記憶部２４は、これらの複数の顔表情データを記憶している。顔表情検出部２３は、例えば、被写体画像中の被写体人物の顔表情が笑顔であることを検出すると、その旨の検出信号を出力する。画像記録部１６は、被写体画像データと、検出信号に基づく属性データとを関連付けてメモリ１６ａに記録する。
【００１９】
顔表情検出部２３が顔領域の画像の顔表情を検出する場合には、特開２００８−４２３１９号公報に開示されている検出手法を用いることができる。この検出手法は、例えば笑顔であることを検出するには、検出された画像の顔が笑顔と通常時の顔という２つの顔表情のいずれに近いかに基づいて表情の種類を判断するものである。
【００２０】
顔表情レベル判定部２５は、顔検出部２１により検出された顔領域の画像の顔表情を顔表情レベルデータ記憶部２６に予め記憶されている複数の顔表情レベルデータと比較することにより、顔領域の画像中の被写体人物の顔表情がいずれの顔表情レベルに対応するかを判定する。顔表情レベル判定部２５は、被写体人物の顔表情レベルに対応する判定信号を出力する。画像記録部１６は、被写体画像データと、所定の顔表情であることを表す属性データとを関連付けてメモリ１６ａに記録する。
【００２１】
顔表情レベルデータ記憶部２６は、顔表情の種類毎に表情の度合い（顔表情レベル）として、例えば笑顔であれば、微笑、中位の笑い、大笑いという３段階の笑顔レベルデータを記憶している。
【００２２】
笑顔の度合いを判定する手法には、例えば、特開２００４−４６５９１号公報に開示されている手法を用いることができる。この判定手法は、入力された部分画像の笑顔について笑顔の度合いの評価を行い、笑顔評価値を算出する。笑顔評価の際は、予め記憶されている笑顔データを参照して眉、瞳孔、唇の各要素の形状の評価ポイントを算出し、各評価ポイントを係数により重み付けした上で合算した値を笑顔評価値としている。
【００２３】
白目領域検出部２７ａ、歯領域検出部２７ｂおよび白髪領域検出部２７ｃは、画像読出し部２０によってメモリ１６ａから読み出された被写体画像データ中の人物画像について、それぞれ白目、歯および白髪の画像領域を検出する。これらの読み出された被写体画像データは、顔表情検出部２３によって所定の顔表情であることが検出された画像データ、または顔表情レベル判定部２５によって顔表情レベルが判定された画像データである。
上述したように、画像記録部１６は、被写体画像データとその属性データ（顔表情の種類や顔表情レベル）とを関連付けてメモリ１６ａに記録しているので、画像読出し部２０は、これらの属性データを利用して所定の被写体画像データを読み出すことができる。
【００２４】
色修正部３１は、白目、歯および白髪の画像領域が検出された被写体画像データに含まれる人物画像について、白目、歯および白髪の画像領域の色修正を自動的に行う。そして、色修正部３１は、色修正が終了すると色修正済みの信号を発する。
【００２５】
詳しくは、色修正部３１は、白目領域検出部２７ａによって白目の画像領域が検出されると、その画像領域の画素に対して自動的に白色に置換する補正を行い、同様に、歯領域検出部２７ｂによって歯の画像領域が検出されると、その画像領域の画素に対して自動的に白色に置換する補正を行う。また、色修正部３１は、白髪領域検出部２７ｃによって白髪の画像領域が検出されると、その画像領域の画素に対して自動的に黒色に置換する補正を行う。
【００２６】
イラスト挿入部３３は、色修正部３１により白目、歯および白髪の画像領域の色修正が施された被写体画像データ中の人物の顔に対して自動でイラストを挿入し、被写体画像にイラスト画像を合成する。イラストとしては、星形，十字形などの輝きイラストと呼ばれるものがある。
【００２７】
イラストデータ記憶部３４は、このような各種のイラストデータを記憶しており、更にイラスト毎に大きさや色が異なるいくつかのデータを記憶している。イラスト挿入部３３は、イラストデータ記憶部３４に記憶されているイラストの中から、顔画像の大きさ、顔表情の種類あるいは顔表情レベルに適した形状、大きさ、色のイラストを自動で抽出し、被写体画像にイラストを挿入する。このとき、イラスト挿入部３３は、イラストの挿入位置、数量についても自動で決定する。そして、イラスト挿入部３３は、イラスト挿入が終了すると、イラスト挿入済みの信号を発する。
【００２８】
図２は、被写体人物の顔にイラストを挿入した一例を模式的に示す図であり、図２（ａ）は、笑顔レベルが微笑みの顔表情、図２（ｂ）は、笑顔レベルが大笑いの顔表情を示している。図２（ａ）では、被写体人物１００の左目の目尻にイラスト１０１が１つ挿入されている。また、図２（ｂ）では、被写体人物１１０の左目の目尻にイラスト１０１が２つ、口角にイラスト１０１が１つ挿入されている。
【００２９】
データ保存指示部３５は、色修正部３１からの色修正済みの信号と、イラスト挿入部３３からのイラスト挿入済みの信号とに応じて、色修正とイラスト挿入がなされた被写体画像データをその属性データとともにメモリ１６ａに保存せよとの指示信号を発する。画像記録部１６は、その指示信号に基づいて色修正とイラスト挿入がなされた被写体画像データと、色修正済み及びイラスト挿入済みであることを表す属性データとを関連付けてメモリ１６ａに記録する。
【００３０】
顔表情設定部３６は、被写体人物の顔表情の種類や顔表情レベルを外部から設定する操作部であり、笑顔を含む複数の顔表情の設定や顔表情毎のレベルの設定ができる。例えば、顔表情設定部３６が顔表情として笑顔を設定すると、画像読出し部２０は、画像記録部１６のメモリ１６ａから笑顔の被写体画像データを読み出す。同様に、顔表情設定部３６が顔表情レベルとして大笑いを設定すると、画像読出し部２０は、画像記録部１６のメモリ１６ａから大笑いの被写体画像データを読み出す。
【００３１】
手動修正部３７は、マニュアルで被写体画像の色修正を行う操作部である。ユーザーは、ディスプレイ４２に表示された被写体画像を見ながら更に手動による色修正を行うことができる。
【００３２】
表示制御部４１は、ディスプレイ４２による表示を制御する。すなわち、表示制御部４１は、バッファメモリ１４に一時的に記録されている被写体画像の表示、画像記録部１６のメモリ１６ａに保存された被写体画像の再生表示を行なう時の表示態様を制御する。
【００３３】
ディスプレイ４２は、スルー画像の表示やバッファメモリ１４に一時的に記録されている被写体画像、メモリ１６ａに保存された被写体画像の表示を行い、また、表示制御部４１の指令により、被写体画像に関連する属性データの表示などを行う。
【００３４】
以上のように構成されたデジタルカメラは、次のように動作する。
撮影が行われ、撮像素子１３が被写体画像データを出力すると、顔検出部２１がこの被写体画像データの被写体人物画像を顔データ記録部２２に記憶された顔データと比較して、被写体人物の顔領域を検出する。顔表情検出部２３は、顔検出部２１が検出した顔領域の画像を顔表情データ記憶部２４の顔表情データと比較して、被写体人物の顔表情が「笑顔」、「泣き顔」等の所定の顔表情に相当することを検出する。ここでは、顔表情検出部２３は、笑顔を検出したとする。
【００３５】
顔表情検出部２３が笑顔であることを検出すると、その旨の検出信号を出力する。画像記録部１６は、被写体画像データと、笑顔であるとの属性データとを関連付けてメモリ１６ａに記録する。
【００３６】
次に、顔表情設定部３６によって顔表情として笑顔を設定したとする。画像読出し部２０は、メモリ１６ａに記録されている被写体画像データの中から、各被写体画像データに付されている属性データを検索し、笑顔の被写体画像データを読み出す。
【００３７】
白目領域検出部２７ａ、歯領域検出部２７ｂおよび白髪領域検出部２７ｃは、読み出された笑顔の被写体画像データ中の人物画像について、それぞれ白目、歯および白髪の画像領域を検出する。
【００３８】
色修正部３１は、検出された白目、歯および白髪の画像領域の色修正を自動的に行う。すなわち、色修正部３１は、白目の画像領域の画素に対しては白色に置換する補正を行い、歯の画像領域の画素に対しては白色に置換する補正を行い、白髪の画像領域の画素に対しては黒色に置換する補正を行う。このとき、被写体人物の黒髪に白髪が混在している場合は、白髪部分に黒色化の修正を行うことが望ましいが、頭髪がほとんど全て白髪である場合には、不自然さを回避するために黒色化修正を止めた方が好ましい。色修正部３１は、色修正が終了すると色修正済みの信号を発する。
【００３９】
続いて、イラスト挿入部３３は、色修正部３１により白目、歯および白髪の画像領域の色修正が施された被写体画像データ中の人物の顔に対して自動的にイラストを挿入し、被写体画像にイラスト画像を合成する。イラスト挿入部３３は、イラストデータ記憶部３４に記憶されているイラストの中から、顔画像の大きさ、笑顔の顔表情に適した形状、大きさ、色のイラストを選び、イラストの挿入位置、数量を自動的に決定する。イラスト挿入部３３は、イラスト挿入が終了するとイラスト挿入済みの信号を発する。
【００４０】
このように自動色修正とイラスト挿入とが行われた被写体画像は、ディスプレイ４２に表示される。ユーザーは、必要に応じて、手動修正部３７を操作して、ディスプレイ４２上の自動修正済みの被写体画像を見ながら、マニュアルによる色修正を加えることもできる。更には、イラスト挿入部３３によって自動挿入されたイラストの形状、大きさ、色、挿入位置、数量などをマニュアル修正することもできる。
【００４１】
データ保存指示部３５は、色修正部３１からの色修正済みの信号と、イラスト挿入部３３からのイラスト挿入済みの信号とに応じて、色修正とイラスト挿入がなされた被写体画像データをその属性データとともにメモリ１６ａに保存せよとの指示信号を発する。画像記録部１６は、その指示信号に基づいてその被写体画像データと、色修正済み及びイラスト挿入済みを表す属性データとを関連付けてメモリ１６ａに記録する。なお、色修正とイラスト挿入がなされていないオリジナルの被写体画像データは、その属性データとともにそのままメモリ１６ａに保存されている。
【００４２】
本実施の形態によるデジタルカメラは以下の作用効果を奏する。
（１）笑顔が検出された被写体画像データを読み出して被写体画像中の人物画像について、白目、歯および白髪の画像領域の色修正を自動的に行うので、工程が簡略となり、顔表情の引き立つ画像を手間をかけずに得ることができる。
（２）白目、歯および白髪の画像領域の色修正が施された被写体画像にイラストを自動的に挿入するので、顔表情の更に引き立つ画像を手間をかけずに得ることができる。
【００４３】
本実施の形態によるデジタルカメラは、更に以下の動作も可能である。
（１）上述した実施の形態では、顔表情検出部２３が笑顔を検出した被写体画像について色修正やイラスト挿入を行うものであったが、顔表情レベル判定部２５が顔表情の度合いとして顔表情レベルを判定した被写体画像について、所定レベル以上の顔表情の被写体画像に色修正やイラスト挿入を行うように動作させることもできる。
【００４４】
その動作を以下に説明する。
顔表情レベル判定部２５は、顔検出部２１により検出された顔領域の画像の顔表情を顔表情レベルデータ記憶部２６に予め記憶されている複数の顔表情レベルデータと比較することにより、顔領域の画像中の被写体人物の顔表情がいずれの顔表情レベルに対応するかを判定する。顔表情レベル判定部２５が、被写体人物の顔表情レベルを判定すると、その顔表情レベルに対応する判定信号を出力する。画像記録部１６は、被写体画像データと、判定信号に基づく属性データとを関連付けてメモリ１６ａに記録する。
【００４５】
次に、顔表情設定部３６によって顔表情レベルとして大笑いを設定したとする。画像読出し部２０は、メモリ１６ａに記録されている被写体画像データの中から、各被写体画像データに付されている属性データを検索し、笑顔レベルが大笑い以上の被写体画像データを読み出す。
【００４６】
以後の手順は、上記実施の形態で説明したのと同様に、抽出された被写体画像データに含まれる人物画像について、白目、歯および白髪の画像領域を検出し、白目、歯および白髪の画像領域の色修正を自動的に行い、イラストを自動的に挿入する。そして、色修正とイラスト挿入がなされた被写体画像データを、色修正とイラスト挿入を表す属性データとともにメモリ１６ａに保存する。
【００４７】
イラストの挿入数量については、図２に示したように、笑顔レベルに応じて異なるようにしてもよい。図２（ｂ）に示すように、笑顔レベルが大笑いの場合は、被写体人物１１０の左目の目尻にイラスト１０１が２つ、口角にイラスト１０１が１つの合計３つが挿入されている。一方、図２（ａ）に示すように、笑顔レベルが微笑みの場合は、被写体人物１００の左目の目尻にイラスト１０１が１つだけ挿入されている。
【００４８】
（２）被写体画像中に複数の被写体人物が存在する場合は、顔表情検出部２３は、各々の被写体人物の顔表情を検出し、例えば顔表情設定部３６によって所定の顔表情として笑顔が設定されていた場合は、笑顔が検出された個々の人物画像について色修正やイラスト挿入を行うこともできる。
【００４９】
本実施の形態によるデジタルカメラは、以下のように変形することができる。
（１）上述した実施の形態では、被写体画像データをメモリ１６ａに記録する前に、顔表情検出部２３が被写体画像中の被写体人物の笑顔を検出し、画像記録部１６がその被写体画像データと、笑顔であるとの属性データとを関連付けてメモリ１６ａに記録した。そして、画像読出し部２０は、メモリ１６ａに記録された被写体画像データの中から、被写体人物が笑顔である被写体画像データを読み出し、読み出された被写体画像データの人物画像について、白目、歯および白髪の画像領域の色修正などを行うものであった。
【００５０】
この変形例では、撮像素子１３からの被写体画像データは、被写体画像の被写体人物の笑顔検出動作をせずに、メモリ１６ａに記録される。その後で、画像読出し部２０は、メモリ１６ａに記録された被写体画像データを読み出し、顔表情検出部２３は、読み出された被写体画像データの被写体人物の笑顔を検出する。そして、笑顔が検出された被写体画像データの人物画像について、本実施の形態と同様に、白目、歯および白髪の画像領域の色修正などを行う。このように、笑顔検出動作の順番を変えて、記録動作の後にするものも本発明に含まれる。
【００５１】
（２）上述した実施の形態では、色修正部３１は、白目、歯および白髪の画像領域が検出された人物画像について、白目、歯および白髪のすべての色修正を行うものであったが、色修正を行う部位と行わない部位とを分けてもよい。例えば、白目には色修正を行い、白髪には色修正を行わないようにしてもよい。
（３）上述した実施の形態では、イラスト挿入部３３によるイラスト挿入動作を行うものであったが、イラスト挿入動作は省略してもよい。
（４）上述した実施の形態では、イラスト挿入部３３は、白目、歯の両方にイラスト挿入を行うものであったが、いずれか一方にイラスト挿入を行ってもよい。
【００５２】
上述した実施の形態では、デジタルカメラについて説明したが、本発明は、図１において、撮影手段、バッファメモリ１４および画像処理部１５を有さない画像修正装置やアプリケーションソフトウエア（画像閲覧編集ソフト）にも適用可能である。
また、色修正やイラスト挿入の対象は、白目、歯および白髪に限らず、例えば美肌補正のように肌にも適用可能である。
本発明は、その特徴を損なわない限り、以上説明した実施の形態に何ら限定されない。
【符号の説明】
【００５３】
１６：画像記録部                  １６ａ：メモリ
２０：画像読出し部                ２３：顔表情検出部
２４：顔表情データ記憶部          ２５：顔表情レベル判定部
２６：顔表情レベルデータ記憶部    ２７ａ：白目領域検出部
２７ｂ：歯領域検出部              ２７ｃ：白髪領域検出部
３１：色修正部                    ３３：イラスト挿入部
３４：イラストデータ記憶部        ３５：データ保存指示部
３６：顔表情設定部                ３７：手動修正部
【図１】
2010176217.tif 000003
【図２】
2010176217.tif 000004